(57)【要約】【課題】本発明は、一種の多層薄膜ディスクを取り付けている圧電超音波モーターを提供する。【解決手段】本発明の多層薄膜ディスク付き圧電超音波モーターは数セットの駆動モジュールを含む。各駆動モジュールには対称の２枚のブザーが付いており、それぞれが一つのブザーディスクと接続した一つの伸縮振動ディスクで構成されている。ブザーディスクは圧電セラミックで作られており、伸縮振動ディスクは金属である。ブザーディスクに交流電圧が印加されると、ブザーディスクは交互に伸びたり縮んだり変形する。ブザーディスクと接続した伸縮振動ディスクは運動エネルギーを外部へ伝達する。駆動モジュールは左右対称に垂直にも、水平方向にも形成できる。本発明は構成要素の中の摩擦を減少させるのみだけではなく、均一な正転、逆転の駆動力を生み出すことを可能とする。【選択図】      図１
2004215480.tif 000002
【特許請求の範囲】
【請求項１】
圧電材料で作られた１枚のブザーディスクと、ブザーディスクに接続され、且つ最低３個の非対称で配置された貫通孔を有し、この貫通孔を透過して固定部材で固定される一枚の弾性振動ディスクとからなる二つのブザーを有する複数個の駆動モジュールを含む、被駆動物を駆動するための多層薄膜ディスク付き圧電式超音波モーターにおいて、
ブザーディスクが交流電圧の印加を受けて交互的、周期的に変化する圧電の伸縮変形を起こし、これにより弾性振動ディスクに周期的な定常波を作り、被駆動物を駆動することと、駆動モジュールの二つのブザーは被駆動物が駆動される方向に沿って対称に配置されていることとを特徴とする多層薄膜ディスクを利用した圧電超音波モーター。
【請求項２】
ブザーは被駆動物が駆動される方向に平行に配置されることを特徴とする請求項１記載のモーター。
【請求項３】
ブザーは被駆動物が駆動される方向に垂直に配置されることを特徴とする請求項１記載のモーター。
【請求項４】
固定部材はネジであることを特徴とする請求項１記載のモーター。
【請求項５】
ブザーディスクの材質は圧電セラミックであることを特徴とする請求項１記載のモーター。
【請求項６】
弾性振動ディスクの材質は金属であることを特徴とする請求項１記載のモーター。
【請求項７】
金属はＰｂ（Ｚｒ、Ｔｉ）Ｏ３（ＰＺＴ）であることを特徴とする請求項６記載のモーター。
【請求項８】
駆動モジュールの二つのブザーには異なる周波数の交流電圧が印加されて、これによりブザーのブザーディスクは弾性振動ディスクを駆動して被駆動物を同時に動かすことを特徴とする請求項１記載のモーター。
【請求項９】
印加される交流電圧の周波数が変わる時、ブザーは被駆動物体に異なる駆動力を与えることを特徴とする請求項１記載のモーター。
【請求項１０】
駆動モジュールは被駆動物の外側周辺に配置されることを特徴とする請求項１記載のモーター。
【請求項１１】
駆動モジュールは被駆動物の内側に沿って配置されることを特徴とする請求項１記載のモーター。
【発明の詳細な説明】
【０００１】
【発明の属する技術分野】
本発明は超音波モーター、特に精密光電子製造業界で使用される超音波モーターに関するものである。さらに詳しくいえば、正転（正回転）、逆転（逆回転）において均一な駆動力を発揮する多層薄膜ディスク付き圧電式超音波モーターに関するものである。
【０００２】
【従来の技術】
人間の生活を向上させるために、多くの科学者と発明家達が数多くの便利な機器や機械を作り出した。特に、１００年以上も前に発明された電磁モーターの導入は世界にきわめて大きな発展をもたらした。それ以来、電磁モーターは機械関係の製造業界で幅広く使用されてきた。しかしながら、モーター分野には、超伝導体と磁性材料以外、これといった大きな進歩はない。従来型のモーターと１センチにも満たない小型モーターとのいずれでも、駆動力変換効率の問題を克服することはきわめて困難である。したがって、高駆動力をもつ超音波エネルギーを利用した新型モーターつまり超音波モーターが世間一般の多大な関心を呼んでいる。
この種のモーターは異なる機械構造をもつが、前ソビエト連邦のラブリネコン（Ｖ．Ｖ．  Ｌａｖｒｉｎｅｋｏｎ）  とバジリエブゼ（Ｐ．Ｆ．  Ｖａｓｉｌｉｅｔｈｅ）  が提唱した理論に今なお基づいている。構造が不安定なために１９８０年代まではあまり広く使用されていなかった。半導体産業が出現してきた後には、電磁妨害（ＥＭＩ）を受けず、かつ精密制御のできるモーターが必要となった。このような必要に迫られて、超音波モーターの発展は一段と加速した。事実上、１９７３年に、バース（Ｈ．Ｖ．  Ｂａｒｔｈ）  がＩＢＭ社で最初に超音波モーターを導入したのをきっかけに、超音波モーターの新時代がスタートした。過去１０年間、超音波モーターの製造技術にはすばらしい進展があり、特に日本においてはそれが顕著であった。
【０００３】
【発明が解決しようとする課題】
超音波モーターは超音波（周波数２０ｋＨｚ以上）が生み出す伸縮する振動を利用して駆動力を生み出している。駆動力は摩擦によって回転運動に変換される。駆動源として交流電圧が圧電セラミックに与えられると、伸びたり縮んだりする運動を交互に行う。この伸縮の大きさはほんの数ミクロン（μｍ）であるが、振動数は１秒間に何十万回にもなり、このため圧電セラミックは１秒間に数センチ動くことができる。この動きが関連科学製品にとって理想的なのである。
【０００４】
この種の超音波モーターは低騒音、効率的、小型、軽量という特長がある一方、摩耗の問題がある。さらに正転、逆転の駆動力に差があるために、その結果生み出される力に大きな相違が発生する。このような理由で実際の使用面では大きな問題を抱えている。
【０００５】
【課題を解決するための手段】
上記のような問題を矯正するために、本発明は、多層薄膜ディスクを取り付けている圧電超音波モーターを提供する。数セットの対称のブザーディスクを使って、伸縮による変形を起こして運動エネルギーを外部に伝達する。その結果、正転、逆転に均一な駆動力が得られるだけでなく、全システムの駆動性と伸縮性が大幅に向上すると同時に、摩耗が減少する。
【０００６】
本発明の多層薄膜ディスク付き圧電超音波モーターは主に数セットの駆動モジュールを含む。各駆動モジュールには２枚の対称のブザーが付いており、それぞれが一つのブザーディスクと接続した一つの伸縮振動ディスクで構成されている。ブザーディスクは圧電セラミックで作られており、伸縮振動ディスクは金属である。ブザーディスクは３個の固定部品で装着されている。ブザーディスクに交流電圧が印加されると、ブザーディスクは交互に伸びたり縮んだり変形する。固定部品を通して、この伸縮振動ディスクは機械的な波動を発生させ、それが半径方向とアーク方向に伝播する。このようにして定常波が伸縮振動ディスクのエッジに形成される。変形の大きさはわずか数ミクロンに過ぎないが、変形周波数が１秒間に数万回にもなるので、被駆動物は数センチ動くことができる。このモーターはきわめて精密な駆動力を生み出すことができる。印加する交流電圧の周波数を制御することにより、異なった動作速度を外部の目的物に与えることができる。さらに駆動モジュールにおける二つのブザーのブザーディスクがもつ境界条件は、駆動力が同時に同じ方向に動くように、それぞれ正反対になっている。それゆえ、前進駆動力としてブザーに交流電圧が掛けられたとき、もう一つの対称となるブザーに補助的な交流電圧が掛けられ、両方のブザーが協働して前進駆動力を出せるようになっている。逆転の駆動力を必要とするときには、交流電圧の印加を逆にするだけでよいのである。従って、正転にも逆転にも同じ駆動力が得られることになる。
【０００７】
本発明の超音波モーターは、それぞれ正反対の境界条件を持つ二つのブザーから構成される駆動モジュールを数セット利用して、正転および逆転方向双方にスムーズな動きができるような高い駆動力を生み出している。駆動モジュール同士は直列に接続されているので、駆動モジュールと外部の被駆動物との接触面積は大きくなる。生み出される駆動力を犠牲にすることなく、モジュール全体を小さくすることにより、個々の部品の面積を小さくできる。更に駆動モジュールの配置を変更することにより、さまざまな用途に応じて多種多様な機能を発揮することができる。従って、本発明は従来の技術に存在する正転と逆転の間の大きな駆動力の相違を解決することができる。本発明はシステムの安定性と弾力性を大幅に増加させ、摩擦のより少ない円滑な動きを可能にする。
【０００８】
【発明の実施の形態】
本発明を十分に理解するため、図面に基づいて本発明を詳細に説明するが、この説明は図解上だけのものであり、本発明に限定するものではない。
【０００９】
図１の本発明の多層薄膜付き圧電超音波モーターの分解図を参照されたい。駆動モジュール１０は二つの対称のブザー２０を有する。それぞれのブザー２０にはブザーディスク３０と接続された弾性振動ディスク４０が含まれている。ブザーディスク３０は円形であり圧電セラミック製である。弾性振動ディスク４０は通常金属製であり、ブザーディスク３０と同じ形状であるが、直径はそれより大きい。弾性振動ディスク４０には非対称型の３つの貫通孔４１が設置されている。固定部材６０（通常はネジまたは同等品など）は、貫通孔４１を通して対称のブザー２０を接続するために使われる。
【００１０】
外部からの高周波供給電力５０は電源供給ライン５１を経由してブザーディスク３０に交流電圧を供給する。逆圧電効果によりブザーディスク３０は伸びたり縮んだりの変形を交互に繰り返す。この変形によって、接続された弾性振動ディスク４０を動かす。定常波が作られ、半径方向ならびにアーク方法方向に伝播され、外部に運動エネルギーを与える。発生した変形はわずか数ミクロンに過ぎないが、変形振動数が１秒間に数万回に及ぶため、被駆動物を数センチ動かすことができる。モーターは非常に精密な駆動力を出力できる。高周波供給電力５０により供給される交流電圧の周波数を制御することにより、さまざまな駆動力を外部に出力することができる。これにより、被駆動物が異なる運動速度を得られる。さらに駆動モジュール１０にある二つのブザー２０のブザーディスク３０がもつ境界条件がお互いに正反対であるので、同じ方向に向かって駆動力を生み出す。上部ブザー２０のブザーディスク３０に正回転の交流電圧が印加されると、下部ブザー２０のブザーディスク３０にも正回転用の補助交流電圧が印加される。二つのブザー２０からの駆動力は同時に同じ方向に向かって動く。唯一の相違点は、上部ブザー２０の方が下部ブザーよりも大きな駆動力を提供する。同様に、外部の被駆動物が逆方向の駆動力を必要とするときは、上記に述べた印加交流電圧を入れ替えさえすればよいのである。
【００１１】
例えば、もし外部の被駆動物を４センチ／秒の速度で動かすように上部ブザー２０が作動すると、上部ブザー２０の境界条件と正反対の境界条件を持つ下部ブザー２０は被駆動物に１．５センチ／秒の追加速度しか与えることができない。そのとき、被駆動物の合計速度は５．５センチ／秒になる。逆方向の動きをしている間は、上部ブザー２０が被駆動物に１．５センチ／秒の速度を与える、一方下部のブザー２０は４センチ／秒の速度を与えるため、合計すると速度は５．５センチ／秒になる。上記説明から、本発明のモーターは、正回転または逆回転方向において、方向が正反対であるが、同じ大きさの均質な駆動力を提供することがわかる。
【００１２】
図２に示す本発明の第一実施例のように、さまざまな要求に応じて、駆動モジュール１０の直列に数セットを接続することにより、被駆動物は、正転および逆転の両方向において均質且つ強い駆動力を得ることができる。
【００１３】
垂直方向の直列接続の他、本発明の図３に示された本発明の第二実施例のとおり、駆動モジュール１０の対称のブザー２０を水平方向に接続することもできる。特に、隣り合ったブザー２０のブザーディスク３０の境界条件はお互いに正反対である。各種の設計条件に応じて、数セットの駆動モジュール１０は直列に接続されることにより、被駆動物７０に正転および逆転の両方向においてよりスムーズな、より大きな駆動力を提供することができる。
【００１４】
設計コンセプトは軸方向の線形動作に限定されず、図４、５に示すように他のいろいろな動作に広げることができる。図４に本発明の第三の実施例として示すように数個駆動モジュール１０は軸７０の外側に配列される。高周波供給電源５０は必要な電力を供給し、これにより軸７０が時計方向または反時計方向に回転する。この実施例は第一の実施例に示すように垂直接続構想を利用して作られるものである。これはまた、第２の実施例の水平接続構想を利用することもできる。
【００１５】
図５では同じ動作原理を違った配列で達成したものを示している。駆動モジュールが軸７０の内側に配置されている。前述の実施例と同じように、高周波電源５０が必要な電力を供給し、これにより軸７０が時計方向または反時計方向に回転する。本実施例は、第一の実施例に示した垂直接続構想を使って構成されていることは明らかである。それはまた、第２の実施例の水平接続構想を利用することもできる。
【００１６】
以上、本発明のよい実施例を説明したが、本発明はこの実施例に限定されるものではない。当業者に対して明らかな変更態様が本発明の特許請求の範囲に含まれるものと主張する。
【００１７】
【発明の効果】
本発明の多層薄膜ディスク付き圧電式超音波モーターは、圧電材質でできたブザーディスクは伸縮変形を交互に起こすように、交流電圧を供給される。ブザーディスクに接続した弾性振動ディスクは定常波を発生して外部物体に運動エネルギーを伝達する。駆動モジュールは左右対称に垂直にも、水平方向にも形成できる。本発明は構成要素の中の摩擦を減少させるのみだけではなく、均一な正転、逆転の駆動力を生み出すことを可能とする。
【図面の簡単な説明】
【図１】本発明の多層薄膜ディスク付き圧電超音波モーターの図解分解図である。
【図２】本発明の第一の実施例である。
【図３】本発明の第二の実施例である。
【図４】本発明の第三の実施例である。
【図５】本発明の第四の実施例である。
【符号の説明】
１０  駆動モジュール
２０  ブザー
３０  ブザーディスク
４０  弾性振動ディスク
４１  貫通孔
５０  高周波供給電力
５１  電源供給ライン
６０  固定部品
７０  軸
【図１】
2004215480.tif 000003
【図２】
2004215480.tif 000004
【図３】
2004215480.tif 000005
【図４】
2004215480.tif 000006
【図５】
2004215480.tif 000007